(57)【特許請求の範囲】
【請求項１】
複数のセクタからなる情報データを複数収録し、各情報データの識別を記録したディスクに対して所定本数トラックジャンプ及び所定数のセクタのデータ読取りを繰り返し行って、当該ディスクに記録された各情報データを検索する倍速サーチ機能を備えて、ディスクに収録された情報データを再生するディスクプレーヤであって、
前記情報データ及び当該情報データの識別を読取る読取手段と、
前記情報データの識別により各情報データを識別する制御手段とを備え、
当該制御手段は、前記所定本数トラックジャンプ直後の情報データの識別と前記所定本数トラックジャンプ直前の情報データの識別とを照合し、前記所定本数トラックジャンプ直後の情報データの識別が前記所定本数トラックジャンプ直前の情報データの識別と同じときは所定数セクタのデータ読取り及び所定本数トラックジャンプの繰返しを実行させ、前記所定本数トラックジャンプ直後の情報データの識別が前記所定本数トラックジャンプ直前の情報データの識別と異なるときは、前記ディスクにおける当該所定本数トラックジャンプ直前の情報データの次に位置する情報データの先頭からデータ読取り及び所定本数トラックジャンプを繰り返し実行させることを特徴とするディスクプレーヤ。
【発明の詳細な説明】
【０００１】
【産業上の利用分野】
本発明は、ディスクに収録された情報データ中の任意の情報データを迅速に検索する倍速サーチ機能を備えたディスクプレーヤに関する。
【０００２】
【従来の技術】
従来、このようなディスクプレーヤとしては、主にコンパクトディスク（以下、単にＣＤと称する）を再生するＣＤプレーヤが普及している。
【０００３】
だが、近年においては、ＣＤのような再生専用ディスクばかりでなく、情報データの書き換えが可能なディスクを有するミニディスク（以下、単にＭＤと称する）が考えられている。
【０００４】
該ＭＤは、保護用カートリッジケースに情報記録用ディスクを収納しており、記録された情報を再生するばかりでなく、新たに情報を記録したり、既に記録された情報を書き換えて記録することも可能となっている。
【０００５】
では、一般的なＭＤを図４に基づいて説明する。図４は一般的なＭＤの構成を示す平面図である。
【０００６】
図４においてＭＤ３００は、直径６ｃｍ程度の光ディスク又は光磁気ディスクである情報記録用のディスク本体３０１と、当該ディスク本体３０１を保護する保護用カートリッジケース（以下、単にケースと称する）３０２と、ディスク本体３０１にアクセスするために該ケース３０２に形成されたアクセス用孔３０３と、当該アクセス用孔３０３を開閉するスライドシャッター３０４と、当該ケース３０２に形成された後述するディスクタイプを示すＩＤホール３０５とを有している。
【０００７】
前記ディスクタイプには、予め固定した情報データが記録された再生専用のプリマスタードタイプと、書換可能なレコーダブルタイプとがある。
【０００８】
前記プリマスタードタイプは、そのスライドシャッター３０４をケース３０２の片面にのみ設け、当該ＭＤを再生するＭＤプレーヤの光ピックアップからの光ビームを光ディスクであるディスク本体３０１のディスク面に照射することができる構造となっている。尚、当該プリマスタードタイプにおけるＩＤホール３０５は、ホール部３０５ａのみである。
【０００９】
また、前記レコーダブルタイプは、そのスライドシャッター３０４をケース３０２の両面に設け、光磁気ディスクであるディスク本体３０１への記録時には、光ビームを照射するディスク面と反対側のディスク面に磁界をかけるＭＤプレーヤの磁気ヘッドが対向する構造となっている。尚、当該レコーダブルタイプにおけるＩＤホール３０５は、前記ホール部３０５ａとホール部３０５ｂとの二つであり、前記ホール部３０５ａの開口を図示せぬ録音防止用フックにより開閉可能とし、当該ホール部３０５ａの開口を開口状態とすると当該ディスクは録音不可能となり、当該ホール部３０５ａの開口を閉塞状態とすると当該ディスクは録音可能となる。
【００１０】
尚、説明の便宜上、当該ＭＤ３００を総称してディスクと称する。
【００１１】
では、次にこのようなディスクに記録された情報データを再生したり、又は当該ディスクに記録された情報データを書き換えたりするＭＤプレーヤについて説明する。図１は一般的なＭＤプレーヤの制御を司る制御部及び信号処理部の概略構成を示すブロック図である。
【００１２】
図１において当該ＭＤプレーヤは音声系統、サーボ系統及び制御系統とを有しており、当該音声系統においては、ディスク面に光ビームを照射し、当該ディスク面にて反射された光ビームにより当該ディスク３００のディスク本体３０１に記録された情報データを読み取る読取手段である光ピックアップ１１と、当該光ピックアップ１１にて読み取られた高周波信号を増幅するＲＦアンプ１２と、当該ＲＦアンプ１２から得られるアドレス信号をデコードするＡＤＩＰ(ADdress In Pre-groove) 信号処理部１３と、前記ＲＦアンプ１２から得られる読取信号をデジタル信号の音声データに変換すると共に、所定の信号処理を施す信号処理部１４と、当該信号処理部１４より得られる音声データを時間軸に圧縮してＤＲＡＭ１５に書き込むと共に、当該ＤＲＡＭ１５より読み出した音声データを書込時とは非同期、すなわち遅い読出レートで出力させるメモリコントローラ１６と、当該メモリコントローラ１６より得られる音声データの時間軸を伸長すると共に、当該音声データに種々の聴感補正を施すＡＴＲＡＣ(Adaptive TRansform Acoustic Coding)信号処理部１７と、当該ＡＴＲＡＣ信号処理部１７より得られるデジタル信号の音声データをアナログ信号に変換するＤ／Ａコンバータ１８とを有している。尚、図示されていないが、当該ＭＤプレーヤに磁気ヘッドを設けて記録可能な構成とした場合には、前記ＡＴＲＡＣ信号処理部１７が音声信号を圧縮し、当該圧縮音声信号を前記磁気ヘッドに送出するものである。
【００１３】
そして、該Ｄ／Ａコンバータ１８は、当該アナログ音声信号を増幅するオーディオアンプ１９を介して、当該オーディオアンプ１９にて増幅されたアナログ音声信号を音声出力するスピーカ２０に接続される。
【００１４】
また、前記サーボ系統においては、前記ＲＦアンプ１２にて得られる読取同期信号成分、トラッキングエラー信号等のその他の信号を受けて、駆動制御信号を生成するサーボ処理部２１と、当該サーボ処理部２１からの制御信号により光ピックアップ１１の光ビームの照射手段、トラッキングアクチュエータ、フォーカスアクチュエータ、スレッドモーター（いずれも図示せず）を駆動する駆動信号を生成するドライバー２２と、当該サーボ処理部２１からの制御信号によりターンテーブル２３に装着中のディスク本体３０１を回転駆動させるスピンドルモーター２４の回転数を制御する回転数制御信号を生成するドライバー２５とを有している。
【００１５】
また、前記制御系統においては、該ディスク３００のケース３０２に設けたＩＤホール３０５を検出するＩＤホール検出機構２６と、図示せぬ操作部からの入力データを受けるキー入力インターフェース２７と、前記ターンテーブル２３上にディスクを装着する際のローディング動作等に係るアクチュエータと当該ＭＤプレーヤ内の各種センサーとから構成されるディスクローディング機構２８と、当該ＭＤプレーヤ全体を制御すると共に、ラジオチューナーやテープデッキ機能等やボリューム調整機能等を有する図示せぬセンターユニットとを通信を行う制御手段であるＣＰＵ２９と、当該ＣＰＵ２９から出力される表示データに基づいて前記表示器３０を駆動させる表示用ドライバー３１とを有している。尚、前記ＣＰＵ２９は、その内部に様々なデータ等、例えばＴＯＣ情報を記憶する図示せぬメモリ部がある。
【００１６】
上記のように構成されたＭＤプレーヤにおいては、光ピックアップ１１をディスク半径方向に迅速に移動させるトラックジャンプ機能が備えられている。
【００１７】
当該トラックジャンプ機能は、例えばディスク再生中において前記ＤＲＡＭ１５のメモリ容量に空きがなくポーズ状態のとき、又は後述するサーチ処理にて光ピックアップ１１が次々に早送り（フォワード）又は早戻し（リワインド）するときに実行されるものである。
【００１８】
通常のトラックジャンプは、図１に示すようにＣＰＵ２９から制御線Ａを介してサーボ処理部２１に命令が送られ、当該サーボ処理部２１が前記ドライバー２２に対して前記制御信号である駆動電圧を発生し、当該ドライバー２２が光ピックアップ１１に駆動信号である所定のジャンプ電圧を印加することで実行される。尚、当該トラックジャンプにおける移動距離に相当するジャンプ本数は、当該ＣＰＵ２９により任意に設定することができるものである。
【００１９】
これから説明する従来の倍速サーチ処理とは、当該トラックジャンプ機能を利用して、一方で音声データ出力を許可しながら所定本数トラックジャンプ→数単位のデータ読取り→所定本数トラックジャンプ→数単位のデータ読取り→…を繰り返し行うことにより、当該ディスクに収録された情報データ、例えば曲、の中から任意の曲を検索する処理である。
【００２０】
では、当該ＭＤプレーヤにおける従来の倍速サーチ処理を図５乃至図８に基づいて説明する。図５は当該倍速サーチ処理における光ピックアップ１１の移動を端的に表わす説明図である。
【００２１】
図５においてはジャンプ本数を４本、読取データ数２セクタ(音声出力時間にして約１２０msec) のフォワード方向における倍速サーチ処理であり、４本ジャンプにより光ピックアップ１１をフォワード方向（ディスク外周方向）に移動し、当該光ピックアップ１１の４本ジャンプ終了後に、２セクタのデータ読取りを実行し、当該２セクタの読取り終了後に再び４本ジャンプを実行し、任意の曲が見つかるまで繰り返し実行する。
【００２２】
図６は螺旋状にディスクに収録された曲データを便宜的に直線にして、すなわちセクタ単位にして当該倍速サーチ処理における光ピックアップ１１の動作状態を示す説明図である。尚、各セクタは図６に示すようにイメージとしてＳ０，Ｓ１，Ｓ２…としているが、実際上、ディスク上にインターリーブされ、ある程度のバラツキをもって配置されており、また、当該曲データのアドレスは簡略化するために順番にＳ０，Ｓ１，Ｓ２…と単純増加しているものとする。また、ディスクの記録エリアの外周と内周とでは円周上のセクタ数が異なり、図６に示すディスクのトラック位置においては、トラック一周に約４セクタが含まれているものとし、フォワード４本ジャンプにて約１６セクタの早送りが行われるものとする。
【００２３】
当該倍速サーチ処理におけるＣＰＵ２９は、図６に示すように光ピックアップ１１にセクタＳ０までの読取動作を実行させ、当該セクタＳ０までの曲データを前記ＤＲＡＭ１５に記憶させて当該曲データを再生可能状態とし、次に当該光ピックアップ１１をセクタＳ１からセクタＳ１６まで移動する４本ジャンプを実行させ、当該４本ジャンプ終了後に、セクタＳ１７，Ｓ１８の読取動作を実行させる。そして、当該ＣＰＵ２９は、当該読み取られたセクタＳ１７，Ｓ１８の曲データを前記ＤＲＡＭ１５に記憶させ、当該ＤＲＡＭ１５に記憶されたセクタＳ１７，Ｓ１８の曲データを再生可能状態とし、再び４本ジャンプを実行する。尚、当該ＤＲＡＭ１５に記憶された曲データをそのまま再生すれば、所定の倍率で再生が行われるものである。
【００２４】
図７は同一セクタ数に要する通常再生時の再生時間と倍速サーチ処理時の再生時間とを比較する説明図である。
【００２５】
図７に示すように光ピックアップ１１がセクタＳ１からセクタＳ１８まで通過する際に、通常再生時においては当該ＤＲＡＭ１５にセクタＳ１からセクタＳ１８までの曲データを記憶し、当該曲データを再生するに要する時間は１８セクタ分の時間を要するのであるが、倍速サーチ処理時においてはセクタＳ１からセクタＳ１６までの４本ジャンプ実行後に、セクタＳ１７，Ｓ１８の曲データを前記ＤＲＡＭ１５に記憶し、当該曲データを再生するに要する時間はセクタＳ１７，Ｓ１８の２セクタ分の時間で済む。
【００２６】
従って、当該倍速サーチ処理においては、１８セクタ／２セクタ＝９倍速サーチとなる。尚、当該倍速を大きくするためには、当該再生時間を短くすることも考えられるが、当該再生時間を短くするには限度があり、当該トラックジャンプ本数を増やすようにすれば良い。
【００２７】
当該ディスクに記録されたＴＯＣ（Table Of Contents ）には、当該ディスクに記録された各曲のスタートアドレス及びエンドアドレス情報が含まれており、当該ＣＰＵ２９は、図示せぬ内部のメモリ部に当該ＴＯＣを記憶しておき、現在のアドレスと当該ＴＯＣに基づくアドレス情報とを照合することにより現在再生中の曲を認識し、当該曲に相当する曲Ｎｏ．を前記表示器３０に表示させている。
【００２８】
従って、一般的なＭＤプレーヤにおける倍速サーチ処理によれば、数本ジャンプ→数単位のデータ読取り→数本ジャンプ→数単位のデータ読取り→…繰り返し実行して前記ＤＲＡＭ１５内に当該読み取られたデータを蓄積し、音声出力時に当該ＤＲＡＭ１５に記憶されたデータを順々に出力していくことにより所望の曲を迅速に検索することができる。
【００２９】
【発明が解決しようとする課題】
上記ディスクプレーヤとしてのＭＤプレーヤによれば、例えば図８に示すようにセクタＳ２までの曲Ｎ−１と、セクタＳ３からセクタＳ１５までの曲Ｎと、セクタＳ１６からの曲Ｎ＋１等とが収録されたディスクに対して９倍速サーチを実行した場合、当該光ピックアップ１１がＳ０の２セクタ分を再生した後に４本ジャンプを実行し、当該４本ジャンプ終了後にセクタＳ１７，Ｓ１８の２セクタ分を再生する。
【００３０】
しかしながら、当該光ピックアップ１１は、図８に示すようにセクタＳ１からセクタＳ１６まで移動する４本ジャンプにより、当該ジャンプ中にあるセクタＳ３からセクタＳ１５までの曲Ｎを飛び越してしまう、すなわちトラックジャンプ本数が多い倍速サーチを実行すると短い再生時間の曲を飛び越してしまうといった問題点があった。
【００３１】
また、このように当該倍速サーチによって光ピックアップ１１が当該短い曲Ｎを飛び越してしまう場合には、前記表示器３０には当該短い曲Ｎに相当する曲Ｎｏ．を表示することができないので、ユーザーは当該短い曲Ｎがディスク内に収録されていることを認識することができず、ユーザーが当該短い曲Ｎを検索しようとして当該倍速サーチを実行した場合には、非常に不具合が生じるといった問題点があった。
【００３２】
本発明は上記問題点に鑑みてなされたものであり、その目的とするところは、倍速サーチ実行時においては、どんなに短い再生時間の曲であっても当該ディスクに収録された全ての曲を検索することができるディスクプレーヤを提供することにある。
【００３３】
【課題を解決するための手段】
上記目的を達成するために本発明は、複数のセクタからなる情報データを複数収録し、各情報データの識別を記録したディスクに対して所定本数トラックジャンプ及び所定数のセクタのデータ読取りを繰り返し行って、当該ディスクに記録された各情報データを検索する倍速サーチ機能を備えて、ディスクに収録された情報データを再生するディスクプレーヤであって、前記情報データ及び当該情報データの識別を読取る読取手段と、前記情報データの識別により各情報データを識別する制御手段とを備え、当該制御手段は、前記所定本数トラックジャンプ直後の情報データの識別と前記所定本数トラックジャンプ直前の情報データの識別とを照合し、前記所定本数トラックジャンプ直後の情報データの識別が前記所定本数トラックジャンプ直前の情報データの識別と同じときは所定数セクタのデータ読取り及び所定本数トラックジャンプの繰返しを実行させ、前記所定本数トラックジャンプ直後の情報データの識別が前記所定本数トラックジャンプ直前の情報データの識別と異なるときは、前記ディスクにおける当該所定本数トラックジャンプ直前の情報データの次に位置する情報データの先頭からデータ読取り及び所定本数トラックジャンプを繰り返し実行させることを特徴とするものである。
【００３４】
【作用】
かかる構成により、サーチ実行時において、ディスクに収録された複数の情報データ中に再生時間が短い情報データの識別範囲があったとしても、当該短い情報データの識別範囲を飛び越すことなく、当該ディスクに収録された全ての識別範囲の情報データを検索することができる。
【００３５】
【実施例】
以下、図面に基づいて本発明のディスクプレーヤを適用したＭＤプレーヤを図１乃至図３に基づいて説明する。尚、図１に示す当該ＭＤプレーヤの一般的な構成及びその動作の説明については、従来技術と重複するために省略する。
【００３６】
本発明のディスクプレーヤを適用したＭＤプレーヤによれば、倍速サーチ実行時においては、どんなに短い再生時間の曲であっても当該ディスクに収録された全ての曲を検索することができるものである。
【００３７】
では、当該ＭＤプレーヤの倍速サーチ処理時における動作について説明する。図２は当該ＭＤプレーヤの倍速サーチ処理におけるＣＰＵ２９の処理動作を示すフローチャートである。
【００３８】
図２において当該ＤＲＡＭ１５のメモリ容量に空きがあるか否かを判定する（ステップＳ１１）。当該ＤＲＡＭ１５のメモリ容量に空きがあるのであれば、前記サーボ処理部２１及びドライバー２２を介して当該光ピックアップ１１に対して数本ジャンプ、例えば４本ジャンプを実行させ（ステップＳ１２）、当該４本ジャンプ実行後のデータ（アドレス＋曲データ）を当該光ピックアップ１１に読み取らせ（ステップＳ１３）、当該ＣＰＵ２９内部のメモリ部に記憶したＴＯＣのアドレス情報に基づいて前記読み取られたアドレスデータを照合して、当該アドレスデータが前記４本ジャンプ実行前の曲（図３中の（Ｎ−１）曲目）範囲を越えたか否かを判定する（ステップＳ１４）。
【００３９】
当該曲（（Ｎ−１）曲目）範囲を越えたのであれば、当該ＴＯＣのアドレス情報に基づいて当該トラックジャンプ直前の曲の次の曲（図３中のＮ曲目）のスタートアドレスに当該光ピックアップ１１を移動させ（すなわち戻し）、当該次の曲（Ｎ曲目）の先頭に光ピックアップ１１をアクセスさせる（ステップＳ１５）。
【００４０】
次に前記ステップＳ１３にて読み取られた２セクタ分のデータの内の曲データを前記ＤＲＡＭ１５に記憶させ（ステップＳ１６）、当該ＤＲＡＭ１５のメモリ容量に空きがあるか否かを判定する（ステップＳ１７）。当該ＤＲＡＭ１５のメモリ容量に空きがあるのであれば、ステップＳ１２に移行する。
【００４１】
また、ステップＳ１１又はステップＳ１７にて当該ＤＲＡＭ１５のメモリ容量に空きがなければ、当該光ピックアップ１１をポーズ状態にする（ステップＳ１９）。
【００４２】
また、ステップＳ１４にて曲範囲を越えたのでなければ、ステップＳ１６に移行する。尚、当該ＤＲＡＭ１５内に蓄積された曲データの実際の音声出力処理は、上記処理動作と並行して行われ、この際には、再生中の曲データに相当する曲Ｎｏ．を前記表示器３０に表示している。
【００４３】
では、図２のフローチャートに示す当該倍速サーチ処理における光ピックアップ１１の動作状態を図３を交えて具体的に説明する。図３は螺旋状にディスクに収録された曲データを便宜的に直線にして、すなわちセクタ単位にして当該倍速サーチ処理における光ピックアップ１１の動作状態を示す説明図である。尚、図３においては、当該光ピックアップ１１における動作順序を丸番号にて表わす。
【００４４】
図３におけるディスクには、セクタＳ２までの曲Ｎ−１と、セクタＳ３からセクタＳ１４までの曲Ｎと、セクタＳ１５からの曲Ｎ＋１等とが収録されているものとする。
【００４５】
当該ＣＰＵ２９は、当該倍速サーチ処理を曲Ｎ−１のセクタＳ０にて実行した場合、４本ジャンプを実行して光ピックアップ１１をセクタＳ１からセクタＳ１６まで移動させ、当該４本ジャンプ実行後にセクタＳ１７のアドレスデータを光ピックアップ１１に読み取らせ、前記ＴＯＣのアドレス情報に基づいて当該セクタＳ１７のアドレスデータを照合して、当該セクタＳ１７が曲Ｎ＋１に相当することを認識する。
【００４６】
当該ＣＰＵ２９は、当該セクタＳ１７が曲Ｎ＋１であり、当該光ピックアップ１１が曲Ｎ−１から曲Ｎを飛び越して曲Ｎ＋１に移動してしまったことを認識し、当該セクタＳ１７にある光ピックアップ１１を、当該ＴＯＣのアドレス情報に基づいて曲Ｎのスタートアドレス、すなわちセクタＳ３に移動させる。
【００４７】
次に当該ＣＰＵ２９は、光ピックアップ１１に該セクタＳ３，Ｓ４の曲データを読み取らせ、当該読み取られた２セクタ分の曲データを前記ＤＲＡＭ１５に記憶させる。そして、次にセクタＳ５から４本ジャンプを実行する。このように…→４本ジャンプ→数単位データ読取り→４本ジャンプ→数単位データ読取り→…といったような一連の動作を繰り返す。
【００４８】
従って、上記実施例におけるＭＤプレーヤによれば、倍速サーチ処理時においては当該ディスクに収録された複数の曲中に再生時間が短い曲があったとしても、当該短い曲を飛び越すことなく、当該短い曲に対して一定時間の再生を行うようにしたので、倍速サーチ処理時であっても当該ディスクに収録された全ての曲を検索することができる。
【００４９】
また、当該倍速サーチ処理においては、当該倍速サーチ処理の開始タイミングにかかわらず、当該ディスクに収録された全ての曲を対象に各曲毎に先頭から一定時間の再生を行うようにしたので、当該ディスクに対してどの位置から倍速サーチを実行したとしても、常に同じ曲データが再生されてユーザーに違和感を感じさせることがない。
【００５１】
また、上記実施例においては、当該フォワード方向の倍速サーチ処理を例にとり説明したが、リワインド方向の倍速サーチ処理についても同様であることは言うまでもない。
【００５２】
また、上記実施例における倍速サーチ処理としては、トラックジャンプを４本ジャンプ、一定時間再生を２セクタとした９倍速サーチを例にとり説明したものであるが、この範囲に限られるものではない。
【００５３】
また、上記実施例においては、ＭＤを対象とするＭＤプレーヤを例にとり説明したものであるが、ＣＤやＬＤ等の光ディスクを対象とするプレーヤについても本発明のディスクプレーヤが適用可能であることは言うまでもない。
【００５４】
【発明の効果】
上記のように構成された本発明のディスクプレーヤによれば、サーチ実行時において、ディスクに収録された複数の情報データ中に再生時間が短い情報データの識別範囲があったとしても、当該短い情報データの識別範囲を飛び越すことなく、当該ディスクに収録された全ての識別範囲の情報データを検索することができる。
【図面の簡単な説明】
【図１】一般的なＭＤプレーヤの制御を司る制御部、及び信号処理部の概略構成を示すブロック図である。
【図２】本発明のディスクプレーヤを適用したＭＤプレーヤの倍速サーチ処理におけるＣＰＵの処理動作を示すフローチャートである。
【図３】本発明のディスクプレーヤを適用したＭＤプレーヤの倍速サーチ処理における光ピックアップの動作状態を示す説明図である。
【図４】一般的なＭＤの構成を示す平面図である。
【図５】一般的なＭＤプレーヤの倍速サーチ処理における光ピックアップの移動を端的に表わす説明図である。
【図６】一般的なＭＤプレーヤの倍速サーチ処理における光ピックアップの動作状態を示す説明図である。
【図７】一般的なＭＤプレーヤの同一セクタ数に要する通常再生時の再生時間と倍速サーチ処理時の再生時間とを比較する説明図である。
【図８】一般的なＭＤプレーヤの倍速サーチ処理における欠点を端的に表わす光ピックアップの動作状態を示す説明図である。
【符号の説明】
１１  光ピックアップ（読取手段）
２９  ＣＰＵ（制御手段）
３００  ディスク（ＭＤ；ミニディスク）
【図１】
0003791697.tif 000002
【図２】
0003791697.tif 000003
【図３】
0003791697.tif 000004
【図４】
0003791697.tif 000005
【図５】
0003791697.tif 000006
【図６】
0003791697.tif 000007
【図７】
0003791697.tif 000008
【図８】
0003791697.tif 000009